(57)【要約】【課題】傾斜状に設置される太陽電池モジュールの取付を容易にし、太陽電池モジュールの軒側先端部、軒側と棟側の太陽電池モジュールの隙間をカバーで覆って景観の向上を図れるようにすること。【解決手段】軒側太陽電池モジュール１Ａは、該モジュールに固定される第１のモジュールベース２０に設けられた係止部２３が、縦ラック１０に固定された先端固定金具４０の係止受部４３に浮上り防止可能に係止され、軒側太陽電池モジュールに固定された第２のモジュールベース２０に設けられた係止部２３が、縦ラックに固定された中間固定金具５０の係止受部５２に浮上り防止可能に係止され、棟側太陽電池モジュールは、第１のモジュールベースの先端側に設けられた係止部が、中間固定金具の押え片５３に浮上り防止可能に係止され、第２のモジュールベースに設けられた係止部が、縦ラックに固定された後部固定金具６０の係止受部５２に浮上り防止可能に係止される。【選択図】図１
2013044114.tif 000002
【特許請求の範囲】
【請求項１】
少なくとも軒側の太陽電池モジュールと１以上の棟側の太陽電池モジュールを、屋根部に傾斜状に敷設される縦ラックに設置するための太陽電池モジュールの取付構造であって、
上記各太陽電池モジュールの対向する２辺の下面に固定され、上記縦ラック上に摺動可能に載置される第１及び第２のモジュールベースと、上記縦ラックの軒側端部に固定部材によって固定される先端固定金具と、上記先端固定金具に立設される取付ブラケットに高さ調整可能に嵌合されて上記先端固定金具と上記縦ラックの軒側先端部を覆う軒カバーと、上記縦ラックの棟側部に固定部材によって固定される中間固定金具と、上記中間固定金具に立設される取付ブラケットに高さ調整可能に嵌合されて上記軒側の太陽電池モジュールと棟側の太陽電池モジュールの隙間を塞ぐと共に、上記中間固定金具を覆う間カバーと、上記縦ラックの更に棟側部に固定部材によって固定される後部固定金具と、を具備し、
上記軒側の太陽電池モジュールは、該太陽電池モジュールに固定された上記第１のモジュールベースの先端部に設けられた係止部が上記先端固定金具に設けられた係止受部に浮上り防止可能に係止されると共に、該太陽電池モジュールに固定された上記第２のモジュールベースの棟側に設けられた係止部が上記中間固定金具に設けられた係止受部に浮上り防止可能に係止され、上記棟側の太陽電池モジュールは、該太陽電池モジュールに固定された上記第１のモジュールベースの先端側に設けられた係止部が上記中間固定金具の軒側に設けられた係止受部に浮上り防止可能に係止されると共に、該太陽電池モジュールに固定された上記第２のモジュールベースの棟側に設けられた係止部が、上記中間固定金具の軒側に設けられた係止受部又は上記後部固定金具の軒側に設けられた係止受部に浮上り防止可能に係止される、
ことを特徴とする太陽電池モジュールの取付構造。
【請求項２】
請求項１記載の太陽電池モジュールの取付構造において、
上記第１及び第２のモジュールベースは、上記太陽電池モジュールの端部側面に当接する位置決め片と、太陽電池モジュールの下面に固定される固定片と、該固定片の両端から垂下する支持脚を有すると共に、太陽電池モジュールの端部側の支持脚の下端から横Ｌ字状に突設される係止部を有し、上記先端固定金具は、上記縦ラックの上面に固定される固定片の先端に上記縦ラックの先端に当接する当接片を有すると共に、上記固定片の棟側端部にクランク状に屈曲される係止受部を有し、上記中間固定金具及び上記後端固定金具は、上記縦ラックに固定される固定片の軒側端部に、上記モジュールベースに設けられた係止部の上方に位置する押え片と、該押え片の先端から屈曲される垂下片とからなる係止受部を有すると共に、固定片の棟側端部に、上記モジュールベースに設けられる係止部の上方に位置する押え片からなる係止受部を有する、ことを特徴とする太陽電池モジュールの取付構造。
【請求項３】
請求項２記載の太陽電池モジュールの取付構造において、
上記第１及び第２のモジュールベースは、上記固定片の下部における太陽電池モジュールの端部側の上記支持脚に近接する部位に補助支持脚を垂下してなり、上記両支持脚及び補助支持脚の下端面が上記縦ラックの上面に摺動可能に載置される、ことを特徴とする太陽電池モジュールの取付構造。
【請求項４】
請求項１又は２に記載の太陽電池モジュールの取付構造において、
上記縦ラックは、上端に狭隘開口部を有するチャンネル状部材にて形成され、上記先端固定金具、中間固定金具及び後端固定金具を固定する上記固定部材は、それぞれ上記縦ラックの狭隘開口部内に遊挿可能な矩形基部と、該矩形基部の長手方向の対角部から垂下されて上記縦ラックの両側壁に係止可能な一対の係止片と、上記矩形基部に立設され、上記縦ラックの狭隘開口部と上記先端固定金具、中間固定金具及び後端固定金具と上記取付ブラケットに設けられた取付孔を貫通する固定ボルトと、該固定ボルトにねじ結合する固定ナットと、を具備する、ことを特徴とする太陽電池モジュールの取付構造。
【請求項５】
請求項４に記載の太陽電池モジュールの取付構造において、
上記係止片には固定孔を設け、上記縦ラックの側壁に取付孔を設け、上記縦ラックの外方から上記取付孔を介して上記固定孔に回転阻止部材を嵌挿固定してなる、ことを特徴とする太陽電池モジュールの取付構造。
【請求項６】
請求項１記載の太陽電池モジュールの取付構造において、
上記先端固定金具に立設される取付ブラケットは、先端固定金具の上面に固定される固定部の両端から起立し対峙する一対の保持片を有すると共に、両保持片の対向する内面に上下方向に沿う鋸歯状の係止保持部を形成し、上記軒カバーは、上部水平片と、該上部水平片の一端から下方に向かって傾斜状に屈曲される傾斜片と、該傾斜片の下端に垂下する垂下片からなる軒カバー本体と、上記上部水平片の下部及び傾斜片の上部から垂下される一対の取付片と、を有し、上記両取付片の外側面に上記係止保持部に多段的に嵌合可能な鋸歯状の係止部を形成してなり、上記上部水平片を上記太陽電池モジュールの上面と同一面上に高さ調整可能に形成してなる、ことを特徴とする太陽電池モジュールの取付構造。
【請求項７】
請求項１記載の太陽電池モジュールの取付構造において、
上記中間固定金具に立設される取付ブラケットは、中間固定金具の上面に固定される固定部の両端から起立し対峙する一対の保持片を有すると共に、両保持片の対向する内面に上下方向に沿う鋸歯状の係止保持部を形成し、上記間カバーは、上部水平片と、該上部水平片の下部から垂下される一対の取付片と、を有し、上記両取付片の外側面に上記係止保持部に多段的に嵌合可能な鋸歯状の係止部を形成してなり、上記上部水平片を上記太陽電池モジュールの上面と同一面上に高さ調整可能に形成してなる、ことを特徴とする太陽電池モジュールの取付構造。
【発明の詳細な説明】
【技術分野】
【０００１】
この発明は、例えば傾斜状の屋根における太陽電池モジュールの取付構造に関するものである。
【背景技術】
【０００２】
従来、屋根に太陽電池モジュールを取り付ける構造として、傾斜状の屋根の野地板や屋根に敷設された架台上に軒側から棟側に順に太陽電池モジュールを固定する取付構造が知られている。例えば、傾斜屋根の野地板に金属板からなる吊り子をビス等によって固定した後、太陽電池モジュール本体が取り付けられた一体型鋼板瓦を吊り子に引っ掛け、一体型鋼板瓦の上端（棟側）に他の吊り子を引っ掛けて傾斜の高い棟側へ向かって引っ張り、その吊り子をビス等で固定して、軒側の一体型鋼板瓦を取り付ける。次に、次の一体型鋼板瓦の下端を吊り子に引っ掛け、一体型鋼板瓦の上端にさらに他の吊り子を引っ掛けて棟側へ向かって引っ張り、その吊り子をビス等で固定して、棟側の一体型鋼板瓦を取り付ける。以下、このような施工を繰り返すことによって、傾斜屋根の軒側から棟側へ向かって順次一体型鋼板瓦を取り付ける方法が知られている（例えば、特許文献１参照）。
【０００３】
特許文献１に記載の取付構造では、枠体を用いて太陽電池モジュール本体を保持する架台を瓦材に装着した一体型鋼板瓦を傾斜屋根の軒側から棟側に順に取り付ける構造であるが、枠体が一体となった太陽電池モジュールの取り付けも上記と同様に傾斜屋根の軒側から棟側に順に取り付けることができる。
【０００４】
また、太陽電池モジュールを軒側から棟側に順に取り付ける構造においては、景観上、軒側の太陽電池モジュールの軒側先端部や、軒側の太陽電池モジュールと棟側の太陽電池モジュールとの隙間をカバーで覆うなどの工夫が必要となる。
【０００５】
従来、太陽電池モジュールを取り付ける架台の先端に、太陽電池の位置決め片と化粧カバー取付片とを一体に備えた支持金具を固定し、位置決め片に太陽電池モジュールの軒側端部を当接し、化粧カバーの外側から挿入したビスを化粧カバー取付片のねじ穴にねじ込んで、化粧カバーで架台の先端と太陽電池モジュールの端部を覆うようにした太陽電池モジュールの支持装置が知られている（例えば、特許文献２参照）。
【０００６】
また、軒側の太陽電池モジュールと棟側の太陽電池モジュールの間隔を閉塞カバーで覆う構造として、上記閉塞カバーに固着される固定部材の固定部を、太陽電池モジュールの固定ブラケットと共に屋根材上に配置し、屋根側に釘等の固定具によって固定するものが知られている（例えば、特許文献３参照）。
【先行技術文献】
【特許文献】
【０００７】
【特許文献１】特許第４１３８６９７号公報（図３１〜図３７）
【特許文献２】特開平７−１５０７１８号公報（特許請求の範囲、図１，図６）
【特許文献３】特開２００５−１３３５０３号公報（請求項６、図２）
【発明の概要】
【発明が解決しようとする課題】
【０００８】
しかしながら、特許文献１に記載の技術は、傾斜屋根の野地板に固定した吊り子に太陽電池モジュール本体が取り付けられた一体型鋼板瓦を引っ掛け、一体型鋼板瓦の上端（棟側）に他の吊り子を引っ掛けて傾斜の高い棟側へ向かって引っ張り、その吊り子をビス等で固定して、傾斜屋根の軒側から棟側へ向かって順次一体型鋼板瓦を取り付ける構造であるため、取付作業が面倒である。また、特許文献１に記載の技術は、太陽電池モジュール本体が枠材を用いて保持する架台を瓦材に装着した一体型鋼板瓦を傾斜屋根の軒側から棟側に順に取り付ける構造であるため、太陽電池モジュールを直接傾斜屋根に敷設された架台に取り付けるには、取り付けるための部材が必要となり、更には、軒側の太陽電池モジュールの軒側先端部や、軒側の太陽電池モジュールと棟側の太陽電池モジュールとの隙間をカバーで覆うなどの工夫が必要となる。
【０００９】
また、特許文献２に記載の技術は、化粧カバーで架台の先端と太陽電池モジュールの端部を覆う構造であるが、架台の先端部に固定される支持金具の化粧カバー取付片にビスをもって化粧カバーを固定するため、取付作業が面倒である。また、上記支持金具に設けられた位置決め片に太陽電池モジュールの軒側端部を当接する構造であるため、地震等の振動や風圧等によって、太陽電池モジュールが上方に浮き上がるのを防止するために固定手段が必要となる。
【００１０】
また、特許文献３に記載の技術は、閉塞カバーで軒側の太陽電池モジュールと棟側の太陽電池モジュールの間隔を覆う構造であるが、閉塞カバーに固着される固定部材の固定部を、太陽電池モジュールの固定ブラケットと共に屋根材上に配置し、屋根側に釘等の固定具によって固定するため、取付作業が面倒である。
【００１１】
この発明は、上記事情に鑑みてなされたもので、傾斜状の屋根に設置される太陽電池モジュールの取付及び保守・点検のための取外しを容易にし、かつ軒側の太陽電池モジュールの軒側先端部及び、軒側の太陽電池モジュールと棟側の太陽電池モジュールとの隙間をカバーで覆って景観の向上を図れるようにした太陽電池モジュールの取付構造を提供することを目的とする。
【課題を解決するための手段】
【００１２】
上記課題を解決するため、この発明は、少なくとも軒側の太陽電池モジュールと１以上の棟側の太陽電池モジュールを、屋根部に傾斜状に敷設される縦ラックに設置するための太陽電池モジュールの取付構造であって、  上記各太陽電池モジュールの対向する２辺の下面に固定され、上記縦ラック上に摺動可能に載置される第１及び第２のモジュールベースと、上記縦ラックの軒側端部に固定部材によって固定される先端固定金具と、上記先端固定金具に立設される取付ブラケットに高さ調整可能に嵌合されて上記先端固定金具と上記縦ラックの軒側先端部を覆う軒カバーと、上記縦ラックの棟側部に固定部材によって固定される中間固定金具と、上記中間固定金具に立設される取付ブラケットに高さ調整可能に嵌合されて上記軒側の太陽電池モジュールと棟側の太陽電池モジュールの隙間を塞ぐと共に、上記中間固定金具を覆う間カバーと、上記縦ラックの更に棟側部に固定部材によって固定される後部固定金具と、を具備し、  上記軒側の太陽電池モジュールは、該太陽電池モジュールに固定された上記第１のモジュールベースの先端部に設けられた係止部が上記先端固定金具に設けられた係止受部に浮上り防止可能に係止されると共に、該太陽電池モジュールに固定された上記第２のモジュールベースの棟側に設けられた係止部が上記中間固定金具に設けられた係止受部に浮上り防止可能に係止され、上記棟側の太陽電池モジュールは、該太陽電池モジュールに固定された上記第１のモジュールベースの先端側に設けられた係止部が上記中間固定金具の軒側に設けられた係止受部に浮上り防止可能に係止されると共に、該太陽電池モジュールに固定された上記第２のモジュールベースの棟側に設けられた係止部が、上記中間固定金具の軒側に設けられた係止受部又は上記後部固定金具の軒側に設けられた係止受部に浮上り防止可能に係止される、ことを特徴とする。
【００１３】
このように構成することにより、屋根部に傾斜状に敷設される縦ラックの軒側端部に固定した先端固定金具に設けられた係止受部に軒側の太陽電池モジュールの軒側を浮上り防止可能に係止し、該軒側の太陽電池モジュールの棟側を、縦ラックに固定された中間固定金具に設けられた係止受部に浮上り防止可能に係止することができる。また、中間固定金具に設けられた係止受部に棟側の太陽電池モジュールの軒側を浮上り防止可能に係止し、該棟側の太陽電池モジュールの棟側を、縦ラックに固定された後端固定金具に設けられた係止受部に浮上り防止可能に係止することができる。この場合、中間固定金具を複数用いることで、複数の棟側の太陽電池モジュールを上記と同様に、すなわち軒側に位置する中間固定金具に設けられた係止受部に、中間固定金具より棟側の太陽電池モジュールの軒側を浮上り防止可能に係止し、該棟側の太陽電池モジュールの棟側を、縦ラックに固定された別の中間固定金具又は後端固定金具に設けられた係止受部に浮上り防止可能に係止することができる。
【００１４】
この発明において、上記第１及び第２のモジュールベースは、上記太陽電池モジュールの端部側面に当接する位置決め片と、太陽電池モジュールの下面に固定される固定片と、該固定片の両端から垂下する支持脚を有すると共に、太陽電池モジュールの端部側の支持脚の下端から横Ｌ字状に突設される係止部を有し、上記先端固定金具は、上記縦ラックの上面に固定される固定片の先端に上記縦ラックの先端に当接する当接片を有すると共に、上記固定片の棟側端部にクランク状に屈曲される係止受部を有し、上記中間固定金具及び上記後端固定金具は、上記縦ラックに固定される固定片の軒側端部に、上記モジュールベースに設けられた係止部の上方に位置する押え片と、該押え片の先端から屈曲される垂下片とからなる係止受部を有すると共に、固定片の棟側端部に、上記モジュールベースに設けられる係止部の上方に位置する押え片からなる係止受部を有する方が好ましい。この場合、上記第１及び第２のモジュールベースは、上記固定片の下部における太陽電池モジュールの端部側の上記支持脚に近接する部位に補助支持脚を垂下してなり、上記両支持脚及び補助支持脚の下端面が上記縦ラックの上面に摺動可能に載置される方が更に好ましい。
【００１５】
このように構成することにより、軒側の太陽電池モジュールの軒側端部に固定されるモジュールベースに設けられた横Ｌ字状の係止部が、縦ラックに固定された先端固定金具に設けられたクランク状に屈曲される係止受部に係止し、該軒側の太陽電池モジュールの棟側端部に固定されるモジュールベースに設けられた横Ｌ字状の係止部が、縦ラックに固定される中間固定金具に設けられた係止受部を構成する係止部の上方に位置する押え片の先端から屈曲される垂下片に係止された状態で取り付けられる。また、棟側の太陽電池モジュールの軒側端部に固定されるモジュールベースに設けられた横Ｌ字状の係止部が、上記中間固定金具に設けられた押え片に浮上り防止可能に係止し、該棟側の太陽電池モジュールの棟側端部に固定されるモジュールベースに設けられた横Ｌ字状の係止部が、縦ラックに固定された上記中間固定金具又は後端固定金具に設けられた係止受部を構成する係止部の上方に位置する押え片の先端から屈曲される垂下片に係止された状態で取り付けられる。
【００１６】
この場合、第１及び第２のモジュールベースは、固定片の下部における太陽電池モジュールの端部側の支持脚に近接する部位に補助支持脚を垂下する構造とすることにより、太陽電池モジュールに対するモジュールベースの位置決め（平行度）が容易となり、また、両支持脚及び補助支持脚の下端面が縦ラックの上面に摺動可能に載置されるので、太陽電池モジュールの取付を容易にすることができる。
【００１７】
また、この発明において、上記縦ラックは、上端に狭隘開口部を有するチャンネル状部材にて形成され、上記先端固定金具、中間固定金具及び後端固定金具を固定する上記固定部材は、それぞれ上記縦ラックの狭隘開口部内に遊挿可能な矩形基部と、該矩形基部の長手方向の対角部から垂下されて上記縦ラックの両側壁に係止可能な一対の係止片と、上記矩形基部に立設され、上記縦ラックの狭隘開口部と上記先端固定金具、中間固定金具及び後端固定金具と上記取付ブラケットに設けられた取付孔を貫通する固定ボルトと、該固定ボルトにねじ結合する固定ナットと、具備する方が好ましい。この場合、上記係止片には固定孔を設け、上記縦ラックの側壁に取付孔を設け、上記縦ラックの外方から上記取付孔を介して上記固定孔に回転阻止部材を嵌挿固定してなる方が好ましい。
【００１８】
このように構成することにより、固定部材の矩形基部を縦ラックの狭隘開口部内に配置した状態で固定ボルトを先端固定金具及び取付ブラケットに設けられた取付孔、中間固定金具及び取付ブラケットに設けられた取付孔又は後端固定金具に設けられた取付孔を貫通して、上方から固定ボルトをねじ結合することができる。これにより、先端固定金具と取付ブラケット、中間固定金具と取付ブラケット又は後端固定金具を上方からの操作によって容易に固定することができる。
【００１９】
この場合、固定部材の係止片に固定孔を設け、縦ラックの側壁に取付孔を設け、縦ラックの外方から取付孔を介して固定孔に回転阻止部材を嵌挿固定例えばねじ結合することにより、固定部材の回転が阻止されて固定状態を保持することができ、先端固定金具、中間固定金具及び後部固定金具の固定を確実にすることができる。
【００２０】
また、この発明において、上記先端固定金具に立設される取付ブラケットは、先端固定金具の上面に固定される固定部の両端から起立し対峙する一対の保持片を有すると共に、両保持片の対向する内面に上下方向に沿う鋸歯状の係止保持部を形成し、上記軒カバーは、上部水平片と、該上部水平片の一端から下方に向かって傾斜状に屈曲される傾斜片と、該傾斜片の下端に垂下する垂下片からなる軒カバー本体と、上記上部水平片の下部及び傾斜片の上部から垂下される一対の取付片と、を有し、上記両取付片の外側面に上記係止保持部に多段的に嵌合可能な鋸歯状の係止部を形成してなり、上記上部水平片を上記太陽電池モジュールの上面と同一面上に高さ調整可能に形成してなる方が好ましい。
【００２１】
このように構成することにより、先端固定金具に立設された取付ブラケットに設けられた対峙する一対の保持片の対向する内面に形成された上下方向に沿う鋸歯状の係止保持部と、軒カバーに設けられる一対の取付片の外側面に形成された鋸歯状の係止部とを多段的に嵌合して軒カバーの高さ調整を行うことができ、軒カバーの上部水平片を高さの異なる太陽電池モジュールの上面と同一面上に位置させることができる。
【００２２】
加えて、この発明において、上記中間固定金具に立設される取付ブラケットは、中間固定金具の上面に固定される固定部の両端から起立し対峙する一対の保持片を有すると共に、両保持片の対向する内面に上下方向に沿う鋸歯状の係止保持部を形成し、上記間カバーは、上部水平片と、該上部水平片の下部から垂下される一対の取付片と、を有し、上記両取付片の外側面に上記係止保持部に多段的に嵌合可能な鋸歯状の係止部を形成してなり、上記上部水平片を上記太陽電池モジュールの上面と同一面上に高さ調整可能に形成してなる方が好ましい。
【００２３】
このように構成することにより、中間固定金具に立設された取付ブラケットに設けられた対峙する一対の保持片の対向する内面に形成された上下方向に沿う鋸歯状の係止保持部と、間カバーに設けられる一対の取付片の外側面に形成された鋸歯状の係止部とを多段的に嵌合して間カバーの高さ調整を行うことができ、間カバーの上部水平片を高さの異なる太陽電池モジュールの上面と同一面上に位置させることができる。
【発明の効果】
【００２４】
この発明によれば、上記のように構成されているので、傾斜状の屋根に設置される太陽電池モジュールの取付及び保守・点検のための取外しを容易にし、かつ軒側の太陽電池モジュールの軒側先端部及び、軒側の太陽電池モジュールと棟側の太陽電池モジュールとの隙間をカバーで覆って景観の向上を図ることができる。
【図面の簡単な説明】
【００２５】
【図１】この発明に係る太陽電池モジュールの取付構造の一例を示す概略断面図である。
【図２】この発明における軒側の太陽電池モジュールの軒側の取付構造を示す断面図である。
【図３】この発明における軒側の太陽電池モジュールと棟側の太陽電池モジュールの取付構造を示す断面図である。
【図４】この発明におけるモジュールベースを示す斜視図である。
【図５】この発明における縦ラックの断面斜視図（ａ）及び縦ラックの断面図（ｂ）である。
【図６】この発明における先端固定金具の下方斜視図（ａ）、平面図（ｂ）及び正面図（ｃ）である。
【図７】この発明における固定部材の取付状態を示す平面図（ａ）、正面図（ｂ）及び側面図（ｃ）である。
【図８】上記固定部材の分解斜視図である。
【図９】この発明における軒カバーの斜視図である。
【図１０】この発明における取付ブラケットの斜視図（ａ）、（ａ）のＩ−Ｉ線に沿う断面図（ｂ）である。
【図１１】この発明における中間固定金具の上方斜視図（ａ）、平面図（ｂ）及び（ｂ）のII−II線に沿う断面図（ｃ）である。
【図１２】この発明における間カバーの斜視図である。
【発明を実施するための形態】
【００２６】
以下に、この発明に係る太陽電池モジュールの取付構造の実施形態を添付図面に基づいて詳細に説明する。
【００２７】
図１は、この発明に係る太陽電池モジュールの取付構造の一例を示す概略断面図で、軒側の太陽電池モジュール１Ａと１つの軒側の太陽電池モジュール１Ｂとを屋根部に傾斜状に敷設される縦ラック１０に設置する実施形態を示す。
【００２８】
この実施形態における太陽電池モジュールの取付構造は、各太陽電池モジュール１Ａ，１Ｂの対向する２辺の下面に固定され、縦ラック１０上に摺動可能に載置される第１及び第２のモジュールベース２０と、縦ラック１０の軒側端部に固定部材３０によって固定される先端固定金具４０と、先端固定金具４０に立設される取付ブラケット７０に高さ調整可能に嵌合されて先端固定金具４０と縦ラック１０の軒側先端部を覆う軒カバー８０と、縦ラック１０の棟側部に固定される中間固定金具５０と、中間固定金具５０に立設される取付ブラケット７０に高さ調整可能に嵌合されて軒側の太陽電池モジュール１Ａ（以下に軒側モジュール１Ａという）と棟側の太陽電池モジュール１Ｂ（以下に棟側モジュール１Ｂという）の隙間を塞ぐと共に、中間固定金具５０を覆う間カバー９０と、縦ラック１０の更に棟側部に固定される後部固定金具６０と、を具備している。
【００２９】
この実施形態では、太陽電池モジュール１Ａ，１Ｂ（以下にモジュール１Ａ，１Ｂという）の軒側と棟側の対向する２辺には、第１及び第２のモジュールベース２０Ａ，２０Ｂが添接されている。第１及び第２のモジュールベース２０Ａ，２０Ｂは同様に形成されており、例えばアルミニウム合金製の押出形材にて形成されている。この第１及び第２のモジュールベース２０Ａ，２０Ｂは、図２ないし図４に示すように、モジュール１Ａ，１Ｂの下面に固定される固定片２１の両端から垂下する一対の支持脚２２ａ，２２ｂを有すると共に、モジュール１Ａ，１Ｂの端部側の支持脚２２ａの下端から横Ｌ字状に突設される係止部２３を有し、固定片２１の一端には、モジュール１Ａ，１Ｂの端部側面に当接する位置決め片２４が立設されている。また、第１及び第２のモジュールベース２０Ａ，２０Ｂは、固定片２１の下部におけるモジュール１Ａ，１Ｂの端部側の支持脚２２ａに近接する部位には、補助支持脚２５が垂下されており、補助支持脚２５の下端及び補助支持脚２５の下端面が縦ラック１０の上面に摺動可能に載置されるようになっている。また、モジュールベース２０Ａ，２０Ｂの固定片２１には取付孔２１ａが穿設されており、下方から取付孔２１ａを貫通する取付ボルト２６がモジュール１Ａ，１Ｂの四辺に配置されたフレーム２に設けられた取付孔（図示せず）を貫通し、その突出部にナット２７がねじ結合されることで、モジュール１Ａ，１Ｂの端部下面に固定される。
【００３０】
上記のように形成されるモジュールベース２０Ａ，２０Ｂは、位置決め片２４をモジュール１Ａ，１Ｂの端部側面に当接した状態で、固定片２１をモジュール１Ａ，１Ｂの下面に固定するので、モジュール１Ａ，１Ｂに対するモジュールベース２０Ａ，２０Ｂの位置決め（平行度）が容易となる。また、両支持脚２２ａ，２２ｂと補助支持脚２５の下端面が縦ラック１０の上面に摺動可能に載置されて、軒側にスライドされるので、モジュール１Ａ，１Ｂの取付を容易にすることができる。
【００３１】
上記縦ラック１０は、例えばアルミニウム合金製の押出形材にて形成されており、図５に示すように、底壁１１の長手方向に沿う両側片には一対の側壁１２が直交状に折曲し、両側壁１２の上端に直交状に折曲する上部壁１３の中央部に狭隘開口部１４を有する断面矩形状のチャンネル状部材にて形成されており、底壁１１の長手方向に沿う中心部の適宜位置には、縦ラック１０を屋根側の支持金具３に取り付けるための取付ボルト１８を貫通する取付孔１５が穿設されている。この場合、取付孔１５は長孔にて形成されているが、長孔に代えて円形孔であってもよい。また、縦ラック１０の底壁１１における取付孔１５に関して両側には縦ラック１０の長手方向に沿う複数の凹凸細条１６が形成されている。この凹凸細条１６は、上記取付ボルト１８を支持金具３にねじ結合して縦ラック１０を支持金具３に固定する際に、取付ボルト１８の頭部１８ａが凹凸細条１６に食い込んで、取付ボルト２６の弛みが防止されるようになっている。
【００３２】
また、縦ラック１０の軒側の先端部側の側壁１２には、複数例えば２つの取付孔１７が穿設されており、後述する固定部材３０に設けられた係止片３２に設けられた固定孔３２ａに、縦ラック１０の外方から取付孔１７を介して挿入される回転阻止部材例えば回転阻止用ボルト１００を嵌挿固定すなわち、回転阻止用ボルト１００を固定孔３２ａにねじ結合することで、固定部材３０の回転が阻止されて固定状態を保持することができる。なお、この場合、取付孔１７は固定部材３０の係止片３２の固定孔３２ａより大きい孔径に形成されている。このようにすることにより、固定孔３２ａと取付孔１７の位置が若干ずれた場合でも、回転阻止用ボルト１００を固定孔３２ａにねじ結合することができる。また、ここでは取付孔１７を複数(図では２個)設ける場合について説明したが、取付孔１７を長孔にしてもよい。
【００３３】
上記先端固定金具４０は、例えばステンレス製部材にて形成されており、図６に示すように、固定部材３０によって縦ラック１０の上端部に固定される固定片４１の先端に縦ラック１０の先端に当接する当接片４２を有すると共に、固定片４１の棟側端部にクランク状に屈曲される係止受部４３を有し、固定片４１の中央部には、後述する固定部材３０の固定ボルト３３が嵌挿可能な取付孔４１ａが抜けられている。なお、固定片４１の当接片４２と係止受部４３を有する辺部と直交する両辺部の中央部には、起立片４４が上方に向かって屈曲されている。
【００３４】
また、中間固定金具５０及び後部固定金具６０は同様に形成されており、例えばステンレス製部材にて形成されている。この中間固定金具５０及び後部固定金具６０は、図１１に示すように、縦ラック１０に固定される固定片５１の軒側端部に、モジュールベース２０Ａ，２０Ｂに設けられた係止部２３の上方に位置する押え片５２ａと、該押え片５２ａの先端から屈曲される垂下片５２ｂとからなる係止受部５２を有すると共に、固定片５１の棟側端部辺の中央部に、モジュールベース２０Ａ，２０Ｂに設けられる係止部２３の上方に位置する係止受部を形成する舌片状の押え片５３を有している。なお、固定片５１の中央部には、後述する固定部材３０の固定ボルト３３が嵌挿可能な取付孔５１ａが抜けられている。また、固定片５１の棟側端部辺の中央部以外は下方に屈曲される一対の垂下片５４が設けられている。また、固定片５１の係止受部５２と押え片５３を有する辺部と直交する両辺部の中央部には、起立片５５が上方に向かって屈曲されている。
【００３５】
上記固定部材３０は、例えばステンレス製部材にて形成されており、図７及び図８に示すように、上記縦ラック１０の狭隘開口部１４内に遊挿可能な幅を有する矩形基部３１と、該矩形基部３１の長手方向の対角部から垂下されて縦ラック１０の両側壁１２に係止可能な一対の係止片３２と、矩形基部３１に立設され、縦ラック１０の狭隘開口部１４と先端固定金具４０、中間固定金具５０及び後部固定金具６０と取付ブラケット７０に設けられた取付孔４１ａ，５１ａ，５１ａを貫通する固定ボルト３３と、該固定ボルト３３にねじ結合する固定ナット３４と、を具備している。なお、固定ボルト３３と固定ナット３４にはばね座がね３５と平座金３６が介在される。
【００３６】
軒カバー８０は、例えばアルミニウム合金製の押出形材にて形成されており、図９に示すように、軒側の太陽電池モジュール１Ａの上面と同一面上に位置可能な上部水平片８１と、該上部水平片８１の一端から下方に向かって傾斜状に屈曲されて先端固定金具４０を外部から覆う傾斜片８２と、傾斜片８２の下端から垂下されて縦ラック１０の軒側端部を外部から覆う垂下片８３とからなる軒カバー本体８４と、上部水平片８１の下部及び傾斜片８２の上部から段部８５を介して垂下される一対の取付片８６と、を有し、両取付片８６の外側面に後述する取付ブラケット７０に形成される鋸歯状の係止保持部７３に多段的に嵌合可能な鋸歯状の係止部８７が形成されている。なお、一対の取付片８６の中間部は水平連結片８８にて連結されて、取付片８６の強度が保持されている。また、水平連結片８８の中間の上部及び傾斜片８２と垂下片８３の連結部には、断面略Ｃ字状のビスポケット８９が設けられており、図示しない軒サイドカバーがビス止めされるようになっている。
【００３７】
また、間カバー９０は、例えばアルミニウム合金製の押出形材にて形成されており、図１２に示すように、軒側モジュール１Ａの上面及び棟側モジュール１Ｂの上面と同一面上に位置可能な上部水平片９１と、該上部水平片９１の下部から垂下される一対の取付片９２と、を有し、両取付片９２の外側面に、後述する取付ブラケット７０に設けられる鋸歯状の係止保持部７３に多段的に嵌合可能な鋸歯状の係止部９３を形成されている。なお、一対の取付片９２の中間部は水平連結片９４にて連結されて、取付片９２の強度が保持されている。また、上部水平片９１と一方の取付片９２の連結部及び他方の取付片９２と水平連結片９４の連結部には、断面略Ｃ字状のビスポケット９５が設けられており、図示しない間サイドカバーがビス止めされるようになっている。
【００３８】
一方、取付ブラケット７０は、例えばアルミニウム合金製の押出形材にて形成されており、図１０に示すように、先端固定金具４０又は中間固定金具５０の上面に固定される矩形状の固定部７１の両端から起立し対峙する一対の保持片７２を有すると共に、両保持片７２の対向する内面に上下方向に沿う鋸歯状の係止保持部７３を形成してなる。固定部の中心部には、固定部材３０の固定ボルト３３が嵌挿可能な取付孔７１ａが穿設されている。
【００３９】
上記取付ブラケット７０は、縦ラック１０の軒側の先端部に取り付けられる先端固定金具４０又は縦ラック１０の棟側の適宜位置に取り付けられる中間固定金具５０と共に固定部材３０によって縦ラック１０に固定される。すなわち、固定部材３０の矩形基部３１を縦ラック１０の狭隘開口部１４内から縦ラック１０の内方に配置し、固定ボルト３３を狭隘開口部１４から突出した状態で、固定ボルト３３に取付孔７１ａを介して先端固定金具４０又は中間固定金具５０を載置すると共に、取付孔７１ａを介して取付ブラケット７０を載置する。そして、平座金３６及びばね座金３５を介して固定ボルト３３に固定ナット３４をねじ結合すると、固定部材３０の矩形基部３１が軸方向に回転して係止片３２が縦ラック１０の側壁１２に係止(当接)して以後の回転が阻止され、縦ラック１０の上面に先端固定金具４０又は中間固定金具５０と取付ブラケット７０が固定（締結）され、先端固定金具４０又は中間固定金具５０に取付ブラケット７０が一体的に立設される。この状態では固定部材３０の係止片３２が縦ラック１０の側壁１２に係止(当接)しており、係止片３２に設けられた固定孔３２ａが縦ラック１０の側壁１２に設けられた取付孔１７と合致する位置にある。そこで、縦ラック１０の外方から取付孔１７を介して固定孔３２ａに回転阻止部材である回転阻止用ボルト１００をねじ込んで固定部材３０の移動を阻止する。
【００４０】
次に、軒側モジュール１Ａと棟側モジュール１Ｂの取付手順（施工手順）について説明する。まず、モジュール１Ａ，１Ｂを設置する屋根部の傾斜面に沿って複数の縦ラック１０を平行に固定(敷設)する。また、予めモジュール１Ａ，１Ｂの軒側及び棟側に位置する両端部の下面に第１及び第２のモジュールベース２０Ａ，２０Ｂを取付ボルト２６によって固定する。この際、モジュール１Ａ，１Ｂの端部側面に位置決め片２４を当接してモジュール１Ａ，１Ｂの下面に固定片２１を当接して、取付ボルト２６によって固定する。
【００４１】
次に、縦ラック１０の軒側端部に固定部材３０によって先端固定金具４０と取付ブラケット７０を取り付ける。先端固定金具４０と取付ブラケット７０の取付は、上述したように、固定部材３０の矩形基部３１を縦ラック１０の狭隘開口部１４内から縦ラック１０の内方に配置し、固定ボルト３３を狭隘開口部１４から突出した状態で、固定ボルト３３に取付孔４１ａを介して先端固定金具４０を載置すると共に、取付孔７１ａを介して取付ブラケット７０を載置する。そして、平座金３６及びばね座金３５を介して固定ボルト３３に固定ナット３４をねじ結合して、縦ラック１０の上面に先端固定金具４０と取付ブラケット７０を固定（締結）して、先端固定金具４０に取付ブラケット７０を一体的に立設する。この状態で、縦ラック１０の外方から取付孔１７を介して固定孔３２ａに回転阻止部材である回転阻止用ボルト１００をねじ込んで固定部材３０の移動を阻止する。
【００４２】
次に、先端固定金具４０に立設された取付ブラケット７０の保持片７２に形成された係止保持部７３に軒カバー８０の取付片８６に形成された係止部８７を多段的に嵌合して軒側モジュール１Ａの高さに合わせて高さ調整する。この軒カバー８０の側方開口端に軒サイドカバー（図示せず）をビス止めする。
【００４３】
次に、軒側モジュール１Ａを縦ラック１０上に載置し、縦ラック１０上をスライドさせて、第１のモジュールベース２０Ａの係止部２３を先端固定金具４０の係止受部４３に係止させて、浮上り防止可能に取り付ける（図１及び図２参照）。軒側モジュール１Ａを取り付ける際、軒側モジュール１Ａに固定されたモジュールベース２０Ａ，２０Ｂの支持脚２２ａ，２２ｂ及び補助支持脚２５が縦ラック１０上を摺動（スライド）するので、軒側モジュール１Ａの取付を容易にすることができる。
【００４４】
次に、先端固定金具４０に取り付けられた軒側モジュール１Ａの棟側端部が位置する縦ラック１０に、固定部材３０によって中間固定金具５０と取付ブラケット７０を取り付けて、軒側モジュール１Ａの棟側の第２のモジュールベース２０Ｂに設けられた係止部２３に中間固定金具５０の係止受部５２を係止する。この状態において、第２のモジュールベース２０Ｂに設けられた横Ｌ字状の係止部２３に中間固定金具５０に設けられた係止受部５２の押え片５２ａと垂下片５２ｂが係合して、軒側モジュール１Ａの浮上りが防止される（図１及び図３参照）。
【００４５】
なお、中間固定金具５０と取付ブラケット７０の取付は、先端固定金具４０の取付と同様に、固定部材３０の矩形基部３１を縦ラック１０の狭隘開口部１４内から縦ラック１０の内方に配置し、固定ボルト３３を狭隘開口部１４から突出した状態で、固定ボルト３３に取付孔５１ａを介して中間固定金具５０を載置すると共に、取付孔７１ａを介して取付ブラケット７０を載置する。そして、平座金３６及びばね座金３５を介して固定ボルト３３に固定ナット３４をねじ結合して、縦ラック１０の上面に中間固定金具５０と取付ブラケット７０を固定（締結）して、中間固定金具５０に取付ブラケット７０を一体的に立設する。
【００４６】
次に、中間固定金具５０に立設された取付ブラケット７０の保持片７２に形成された係止保持部７３に間カバー９０の取付片８６に形成された係止部８７を多段的に嵌合して軒側モジュール１Ａの高さに合わせて高さ調整する。この間カバー８０の側方開口端に間サイドカバー（図示せず）をビス止めする。
【００４７】
次に、棟側モジュール１Ｂを縦ラック１０上に載置し、縦ラック１０上をスライドさせて、第１のモジュールベース２０Ａの係止部２３を中間固定金具５０の係止受部である押え片５３に係止させて、浮上り防止可能に取り付ける（図１及び図３参照）。棟側モジュール１Ｂを取り付ける際、棟側モジュール１Ｂに固定されたモジュールベース２０Ａ，２０Ｂの支持脚２２ａ，２２ｂ及び補助支持脚２５が縦ラック１０上を摺動（スライド）するので、軒側モジュール１Ａの取付を容易にすることができる。
【００４８】
次に、中間固定金具５０に取り付けられた棟側モジュール１Ｂの棟側端部が位置する縦ラック１０に、固定部材３０によって後部固定金具６０を取り付けて、棟側モジュール１Ｂの棟側の第２のモジュールベース２０Ｂに設けられた係止部２３に後部固定金具６０の係止受部５２を係止する。この状態において、第２のモジュールベース２０Ｂに設けられた横Ｌ字状の係止部２３に後部固定金具６０に設けられた係止受部５２の押え片５２ａと垂下片５２ｂが係合して、棟側モジュール１Ｂの浮上りが防止される（図１参照）。
【００４９】
上記実施形態では、軒側モジュール１Ａと１枚の棟側モジュール１Ｂを取り付ける場合について説明したが、棟側モジュール１Ｂを複数枚取り付ける場合は、後部固定金具６０の係止受部である押え片５３に、２枚目の棟側モジュール１Ｂに固定された第１のモジュールベース２０Ａの係止部２３を係止させて、浮上り防止可能に取り付けることができる。以下同様の操作を繰り返して３枚目以降の棟側モジュール１Ｂを取り付けることができる。なお、２枚目以降の最棟側の棟側モジュール１Ｂの棟側端部に固定された第２のモジュールベース２０Ｂに設けられた横Ｌ字状の係止部２３に後部固定金具６０に設けられた係止受部５２の押え片５２ａと垂下片５２ｂを係合して、棟側モジュール１Ｂを浮上りが防止可能に取り付ける。
【００５０】
上記実施形態の太陽電池モジュールの取付構造によれば、軒側モジュール１Ａは、該軒側モジュール１Ａに固定された第１のモジュールベース２０Ａの先端部に設けられた係止部２３が先端固定金具４０に設けられた係止受部４３に浮上り防止可能に係止されると共に、軒側モジュール１Ａに固定された第２のモジュールベース２０Ｂの棟側に設けられた係止部２３が中間固定金具５０に設けられた係止受部であるおさえ片５３に浮上り防止可能に係止され、棟側モジュール１Ｂは、該棟側モジュール１Ｂに固定された第１のモジュールベース２０Ａの先端側に設けられた係止部２３が中間固定金具５０の軒側に設けられた係止受部５２に浮上り防止可能に係止されると共に、棟側モジュール１Ｂに固定された第２のモジュールベース２０Ｂの棟側に設けられた係止部２３が後部固定金具６０の軒側に設けられた係止受部５２に浮上り防止可能に係止することができる。
【００５１】
したがって、上記実施形態の太陽電池モジュールの取付構造を用いることにより、太陽電池モジュール１Ａ，１Ｂを縦ラック１０の軒側から棟側に順次組み付けて取り付けることができるので、作業者は太陽電池モジュール１Ａ，１Ｂに乗ることなく、容易に取付作業を行うことができる。また、太陽電池モジュール１Ａ，１Ｂの保守・点検の際には、容易に太陽電池モジュール１Ａ，１Ｂを取り外すことができる。
【符号の説明】
【００５２】
１Ａ  軒側モジュール（軒側の太陽電池モジュール）
１Ｂ  棟側モジュール（棟側の太陽電池モジュール）
１０  縦ラック
１２  側壁
１４  狭隘開口部
１７  取付孔
２０Ａ  第１のモジュールベース
２０Ｂ  第２のモジュールベース
２２ａ，２２ｂ  支持脚
２３  係止部
２４  位置決め片
２５  補助支持脚
３０  固定部材
３１  矩形基部
３２  係止片
３３  固定ボルト
３３ａ  固定孔
３４  固定ナット
４０  先端固定金具
４１  固定片
４３  係止受部
５０  中間固定金具
５１  固定片
５２  係止受部
５２ａ  押え片
５２ｂ  垂下片
５３  押え片（係止受部）
６０  後部固定金具
７０  取付ブラケット
７１  固定部
７２  保持片
７３  鋸歯状係止保持部
８０  軒カバー
８１  上部水平片
８２  傾斜片
８３  垂下片
８４  軒カバー本体
８６  取付片
８７  鋸歯状係止部
９０  間カバー
９１  上部水平片
９２  取付片
９３  鋸歯状係止部
１００  回転阻止用ボルト（回転阻止部材）
【図１】
2013044114.tif 000003
【図２】
2013044114.tif 000004
【図３】
2013044114.tif 000005
【図４】
2013044114.tif 000006
【図５】
2013044114.tif 000007
【図６】
2013044114.tif 000008
【図７】
2013044114.tif 000009
【図８】
2013044114.tif 000010
【図９】
2013044114.tif 000011
【図１０】
2013044114.tif 000012
【図１１】
2013044114.tif 000013
【図１２】
2013044114.tif 000014